(57)【特許請求の範囲】
【請求項１】
室内外を連通する開口に設けられている既設サッシが有する既設枠の内周側に設けられる改装サッシユニットであって、
新たに設けられる改装サッシ、
前記既設枠と前記改装サッシが有する改装枠との間に介在される枠接合部材、
及び、
前記改装枠と前記枠接合部材とを接合するとともに、前記枠接合部材が取り付けられた前記改装枠が前記既設枠の内側に配置されたときに室内側に臨み、前記既設枠が固定されている躯体に固定される躯体固定部を備えた枠固定部材、
を有することを特徴とする改装サッシユニット。
【請求項２】
請求項１に記載の改装サッシユニットであって、
前記枠固定部材は、前記既設枠が有する既設下枠と前記改装枠が有する改装下枠とを前記躯体に固定することを特徴とする改装サッシユニット。
【請求項３】
請求項１または請求項２に記載の改装サッシユニットであって、
前記枠固定部材は、前記既設枠が有する既設縦枠と前記改装枠が有する改装縦枠とを前記躯体に固定することを特徴とする改装サッシユニット。
【請求項４】
請求項１乃至請求項３のいずれかに記載の改装サッシユニットであって、
前記枠固定部材は、
前記改装枠に固定される改装枠固定部と、
前記枠接合部材に固定される接合部材固定部と、を有し、
前記改装枠固定部、前記接合部材固定部、及び、前記躯体固定部を固定している固定具による結合力が作用する方向が互いに相違することを特徴とする改装サッシユニット。
【請求項５】
請求項１または請求項２に記載の改装サッシユニットであって、
前記枠固定部材は、前記躯体に固定されている前記既設枠に支持される既設枠被支持部と、
前記既設枠被支持部より室外側に延出されて前記改装枠を支持する改装枠支持部と、
前記既設枠被支持部より室内側に延出されて前記躯体に載置されるとともに当該躯体に固定される躯体固着部と、
前記改装枠に固定される改装枠固着部と、
を有することを特徴とする改装サッシユニット。
【請求項６】
請求項５に記載の改装サッシユニットであって、
前記改装枠支持部は、前記枠接合部材を介して前記改装枠を支持するとともに、前記枠接合部材に固定されていることを特徴とする改装サッシユニット。
【請求項７】
請求項１乃至請求項６のいずれかに記載の改装サッシユニットの取付方法であって、
前記枠固定部材を前記枠接合部材に取り付ける固定部材取付工程と、
前記枠固定部材が取り付けられた前記枠接合部材を前記改装枠に取り付ける接合部材取付工程と、
前記改装枠及び前記枠接合部材が取り付けられた前記枠固定部材を前記躯体に取り付ける改装枠取付工程と、
を有することを特徴とする改装サッシユニットの取付方法。
【発明の詳細な説明】
【技術分野】
【０００１】
本発明は、既設サッシが有する既設枠の内周側に設けられる改装サッシユニット及び改装サッシユニットの取付方法に関する。
【背景技術】
【０００２】
改装サッシユニットとしては、例えば、建物の開口部に設けられた既設サッシが有する既設枠の内周側に屋内側取付部材及び屋外側取付部材を介して取り付けられる新設サッシが知られている（例えば、特許文献１参照）。  
この新設サッシは、屋内側取付部材及び屋外側取付部材が取り付けられた既設サッシの内方に取り込まれ、屋内側から屋内側取付部材にビスにて止着し、屋外側から屋外側取付部材にビスにて止着して、新設サッシを既設サッシの枠に固定している。
【先行技術文献】
【特許文献】
【０００３】
【特許文献１】特開２００９−２２１８１６号公報
【発明の概要】
【発明が解決しようとする課題】
【０００４】
上記のような新設サッシは、既設サッシの内側に取り込まれて屋内側と屋外側とからそれぞれビスにて既設サッシの枠に固定するので施工が煩雑であり、また、屋外側からの作業は施工性が悪いという課題がある。特に、高層階の窓に新設サッシを取り付ける場合には、新設サッシをクレーンで吊り上げたり、または、足場を組む必要があり、作業が大がかりになるとともに施工コストが高騰するという課題がある。また、新設サッシは、既設サッシにのみビスにて固定されているが、より強固に新設サッシを取り付けたいという要望がある。
【０００５】
本発明は、かかる課題に鑑みてなされたものであり、その目的とするところは、室内側からの作業にて容易に、より強固に取り付けることが可能な改装サッシユニット及び改装サッシユニットの取付方法を提供することにある。
【課題を解決するための手段】
【０００６】
かかる目的を達成するために本発明の改装サッシユニットは、室内外を連通する開口に設けられている既設サッシが有する既設枠の内周側に設けられる改装サッシユニットであって、新たに設けられる改装サッシ、前記既設枠と前記改装サッシが有する改装枠との間に介在される枠接合部材、及び、前記改装枠と前記枠接合部材とを接合するとともに、前記枠接合部材が取り付けられた前記改装枠が前記既設枠の内側に配置されたときに室内側に臨み、前記既設枠が固定されている躯体に固定される躯体固定部を備えた枠固定部材、を有することを特徴とする改装サッシユニットである。  
このような改装サッシユニットによれば、既設枠と改装枠との間に介在される枠接合部材と改装枠とを接合するとともに、枠接合部材が取り付けられた改装枠が既設枠の内側に配置されたときに室内側に臨み、躯体に固定される躯体固定部を、枠固定部材が備えているので、躯体固定部を室内側から躯体に固定することにより、枠接合部材が接合された改装枠を躯体に室内側から固定することが可能である。
【０００７】
かかる改装サッシユニットであって、前記枠固定部材は、前記既設枠が有する既設下枠と前記改装枠が有する改装下枠とを前記躯体に固定することが望ましい。  
このような改装サッシユニットによれば、枠固定部材は、既設下枠と改装下枠とを接合するとともに、接合された既設下枠と改装下枠とを躯体に固定することが可能である。このため、既設下枠と改装下枠とを室内側から容易に、かつ、より強固に取り付けることが可能である。
【０００８】
かかる改装サッシユニットであって、前記枠固定部材は、前記既設枠が有する既設縦枠と前記改装枠が有する改装縦枠とを前記躯体に固定することが望ましい。  
このような改装サッシユニットによれば、枠固定部材は、既設縦枠と改装縦枠とを接合するとともに、既設縦枠と改装縦枠とを躯体に固定することが可能である。このため、既設縦枠と改装縦枠とを室内側から容易に、かつ、より強固に取り付けることが可能である。
【０００９】
かかる改装サッシユニットであって、前記枠固定部材は、前記改装枠に固定される改装枠固定部と、前記枠接合部材に固定される接合部材固定部と、を有し、前記改装枠固定部、前記接合部材固定部、及び、前記躯体固定部を固定している固定具による結合力が作用する方向が互いに相違することが望ましい。  
このような改装サッシユニットによれば、枠固定部材の、改装枠固定部と接合部材固定部と躯体固定部とは、固定具による結合力が作用する方向が互いに相違するので、所定の一方向に力が作用しただけでは枠固定部材は外れにくい。このため、改装サッシユニットをより強固に取り付けることが可能である。ここで、固定具とは例えば、ビス、ボルト、釘、リベット、アンカー、接着剤などが含まれ、結合力が作用する方向とは、ビス、ボルト、釘等は、軸方向であり、接着剤等は、互いに固定される部位同士が対面する方向である。
【００１０】
かかる改装サッシユニットであって、前記枠固定部材は、前記躯体に固定されている前記既設枠に支持される既設枠被支持部と、前記既設枠被支持部より室外側に延出されて前記改装枠を支持する改装枠支持部と、前記既設枠被支持部より室内側に延出されて前記躯体に載置されるとともに当該躯体に固定される躯体固着部と、前記改装枠に固定される改装枠固着部と、を有することとしてもよい。  
このような改装サッシユニットによれば、枠固定部材は、躯体に固定されている既設枠に支持された既設枠被支持部より室内側にて躯体に載置されるとともに固着されているので、枠固定部材が強固に躯体に固定される。そして、強固に固定された枠固定部材の既設枠被支持部より室外側にて改装枠が支持されるとともに改装枠固着部にて改装枠を固定するので、改装枠をより確実に支持して躯体に固定することが可能である。また、改装枠は既設枠被支持部より室外側に延出された改装枠支持部にて支持されるので、改装枠が既設枠より室外側に突出する、例えば外付け用のサッシに改装する場合であっても、改装枠をより確実に支持することが可能である。
【００１１】
かかる改装サッシユニットであって、前記改装枠支持部は、前記枠接合部材を介して前記改装枠を支持するとともに、前記枠接合部材に固定されていることが望ましい。  
このような改装サッシユニットによれば、既設枠被支持部より室外側に延出された改装枠支持部が、枠接合部材に固定されて、既設枠被支持部は枠接合部材と繋がることにより既設枠被支持部及び枠接合部材の剛性及び強度が高められる。そして、剛性強度が高められた既設枠被支持部にて改装枠を支持するので、改装枠をより確実に支持することが可能である。
【００１２】
かかる改装サッシユニットの取付方法であって、前記枠固定部材を前記枠接合部材に取り付ける固定部材取付工程と、前記枠固定部材が取り付けられた前記枠接合部材を前記改装枠に取り付ける接合部材取付工程と、前記改装枠及び前記枠接合部材が取り付けられた前記枠固定部材を前記躯体に取り付ける改装枠取付工程と、を有することを特徴とする改装サッシユニットの取付方法である。  
このような改装サッシユニットの取付方法によれば、枠接合部材と改装枠とが枠固定部材にて接合されるとともに、躯体固定部を室内側から躯体に固定することにより、接合された枠接合部材、改装枠、枠固定部材を、室内側から躯体に固定ことが可能である。このため、室内側からの作業により容易に、改装サッシをより強固に取り付けることが可能な改装サッシユニットの取付方法を提供することが可能である。
【発明の効果】
【００１３】
本発明によれば、室内側からの作業により容易に、より強固に取り付けることが可能な改装サッシユニット及び改装サッシユニットの取付方法を提供することが可能である。
【図面の簡単な説明】
【００１４】
【図１】第１実施形態に係る改装サッシユニットを説明するための縦断面図である。
【図２】第１実施形態に係る改装サッシユニットを説明するための水平断面図である。
【図３】図３（ａ）は、第１実施形態における改装サッシが取り付けられた状態の下枠接合部材固定金具を示す斜視図であり、図３（ｂ）は、第１実施形態における下枠接合部材固定金具を示す斜視図である。
【図４】図４（ａ）は、第１実施形態における改装サッシが取り付けられた状態の縦枠接合部材固定金具を示す斜視図であり、図４（ｂ）は、第１実施形態における縦枠接合部材固定金具を示す斜視図である。
【図５】本実施形態に係る改装サッシユニットの取付方法を説明するためのフロー図である。
【図６】第１実施形態に係る改装サッシユニットの取付方法を説明するための斜視図である。
【図７】第２実施形態に係る改装サッシユニットの下枠接合部材固定金具を説明するための縦断面図である。
【図８】第２実施形態に係る改装サッシユニットの下枠接合部材固定金具を説明するための斜視図である。
【発明を実施するための形態】
【００１５】
以下、本発明の第１実施形態に係る改装サッシユニット及び改装サッシユニットの取付方法について図面を参照して説明する。
【００１６】
第１実施形態の改装サッシユニット１は、例えば、新たに設けられる改装サッシ１０と、建物の室内外を連通する開口２に設けられている既設サッシの既設枠５０の内周側に改装サッシ１０を取り付けるための接合部材３５、３６、３７と、既設枠５０及び躯体３に取り付けるための固定部材４０、４１、４２と、を有している。第１実施形態では、図１に示すように、室内外を連通する開口２に設けられた半外付けタイプの既設枠５０の内周側に設けられる改装サッシユニット及び改装サッシユニットの取付方法について説明する。
【００１７】
以下の説明においては、建物等に取り付けられた状態の既設枠５０及び改装サッシ１０を室内側から見たときに、上下となる方向を上下方向、左右となる方向を左右方向または見付け方向、室内外方向である奥行き方向を見込み方向として示す。また、改装サッシユニットが備える各部材は、単体として説明する場合であっても開口２に取り付けられた状態で上下方向、見付け方向、見込み方向等となる方向にて方向を特定して説明する。また、開口の上部に取り付けられる枠部材の下側、開口２の下部に取り付けられる枠部材の上側、開口２の左側に取り付けられる枠部材の右側、開口２の右側に取り付けられる枠部材の左側を、開口２及び枠部材の中央側又は内側として説明する。
【００１８】
以下の実施形態においては、建物に既に設けられている既存の既設枠５０と、既設枠５０を開口２の内側から覆うように改装される改装サッシ１０とが登場するが、同じ名称を有する部位、部材には、各名称の前に「既設」または「改装」を付して説明する。例えば、既設枠が有する下枠や縦枠等は、既設下枠、既設縦枠等とし、改装サッシ１０が有する縦枠や障子等は、改装縦枠、改装障子等として説明する。
【００１９】
既設サッシの既設枠５０は、引き違い障子用の枠体であり、既設サッシの既設障子（不図示）が案内される既設レール５１ａ、５１ｂ、５２ａ、５２ｂを有する既設上枠５１及び既設下枠５２と、既設障子の既設戸先框（不図示）と係合する既設係合片５３ａを有する左右の既設縦枠５３とが矩形状に枠組みされて開口２に設けられている。尚、既設上枠５１、既設下枠５２、及び、左右の既設縦枠５３は押出成形部材であり、左右の既設縦枠５３は、既設障子と係合する既設係合片５３ａの形状及び位置は異なるものの、互いにほぼ左右対称の形状をなしている。
【００２０】
既設枠５０は、既設上枠５１が躯体３をなす窓まぐさ３ａに、既設下枠５２が躯体３をなす窓台３ｂに、左右の既設縦枠５３が躯体３をなす柱（方立）３ｃにそれぞれ固定されている。既設上枠５１、既設下枠５２、既設縦枠５３は、いずれも、見込み方向において、窓まぐさ３ａ、窓台３ｂ、柱３ｃの見込み方向におけるほぼ中央から室外側に設けられている。
【００２１】
既設上枠５１は、既設内障子（不図示）を案内するための既設内上レール５１ａと、既設外障子（不図示）を案内するための既設外上レール５１ｂと、既設網戸（不図示）を案内するための既設網戸上レール５１ｃと、既設額縁３０と対向する既設上額縁対向部５１ｄとを有している。既設内上レール５１ａ、既設外上レール５１ｂ、既設網戸上レール５１ｃ、既設上額縁対向部５１ｄは、上端側にて繋がっている。また、既設上枠５１は、上部に設けられ上方に向かって突出された固定フィン５１ｅにて窓まぐさ３ａに固定されている。既設内上レール５１ａ、既設外上レール５１ｂ、既設網戸上レール５１ｃ、既設上額縁対向部５１ｄは、いずれも見付け方向の全域に渡って鉛直方向に垂設された板状の部位である。そして、室内側から既設上額縁対向部５１ｄ、既設内上レール５１ａ、既設外上レール５１ｂ、既設網戸上レール５１ｃの順で配置され、見込み方向に互いに間隔を隔てて対面するように設けられている。また、既設内上レール５１ａと既設外上レール５１ｂとの下端は、ほぼ同じ位置まで延出されている。
【００２２】
既設下枠５２は、既設内障子（不図示）を案内するための既設内下レール５２ａと、既設外障子（不図示）を案内するための既設外下レール５２ｂと、既設網戸（不図示）を案内するための既設網戸下レール５２ｃと、既設額縁３０に当接される既設下額縁対向部５２ｄとが、見込み方向に互いに間隔を隔てて設けられている。既設内下レール５２ａ、既設外下レール５２ｂ、既設網戸下レール５２ｃ、既設下額縁対向部５２ｄは、いずれも見付け方向の全域に渡って上方に突出させて設けられた板状の部位である。そして、室内側から既設下額縁対向部５２ｄ、既設内下レール５２ａ、既設外下レール５２ｂ、既設網戸下レール５２ｃ、の順で、見込み方向に互いに間隔を隔てて配置されている。また、既設下額縁対向部５２ｄ及び既設内下レール５２ａと、既設外下レール５２ｂと、既設網戸下レール５２ｃとは、室内側から室外側に向かって順次低くなるように階段状に形成されている。
【００２３】
既設下枠５２は、室内側の部位が窓台３ｂ上に載置されるとともに下方に向かって突出された固定フィン５２ｅにて窓台３ｂに固定されている。
【００２４】
既設縦枠５３は、見込み方向に沿う平面でなる既設縦枠本体部５３ｂと、既設縦枠本体部５３ｂから開口２の中央側に突出され既設障子の既設戸先框が係合される既設係合片５３ａと、既設枠５０の室外側にて配置され既設縦枠本体部５３ｂから開口２の中央側に突出され既設網戸の既設縦框に挿入される既設挿入片５３ｄと、既設挿入片５３ｄと見付け方向において反対側に既設縦枠本体部５３ｂから突出された固定フィン５３ｅと、を有している。
【００２５】
改装サッシユニット１は、新たに取り付けられる改装サッシ１０と、改装サッシ１０を取り付けるための上枠接合部材３５、下枠接合部材３６、縦枠接合部材３７と、上枠接合部材３５を既設枠５０に固定するための上枠接合部材固定金具４０と、下枠接合部材３６を窓台３ｂに固定するための枠固定部材としての下枠接合部材固定金具４１と、縦枠接合部材３７を柱３ｃに固定するための枠固定部材としての縦枠接合部材固定金具４２と、既設縦枠５３と改装縦枠２３とを室外側から覆う縦枠カバー部材４５と、室外側にて改装枠２０の下端側の左右の角部を覆うキャップ部材４６と、を有している。
【００２６】
改装サッシ１０は、建物等の開口に直接新設可能な一般的なサッシである。すなわち、改装専用のサッシではない。改装サッシ１０の改装枠２０も引き違い障子用の枠体であり、改装サッシ１０の改装障子１２が案内される改装レール２１ａ、２１ｂ、２２ａ、２２ｂを有する改装上枠２１及び改装下枠２２と、左右の改装縦枠２３が矩形状に枠組みされている。改装上枠２１、改装下枠２２、及び、左右の改装縦枠２３は押出成形部材であり、左右の改装縦枠２３は改装障子１２ａ、１２ｂとの改装係合片２３ａを除いて互いに左右対称の形状をなしている。
【００２７】
改装上枠２１は、改装内障子１２ａを案内するための改装内上レール２１ａと、改装外障子１２ｂを案内するための改装外上レール２１ｂと、改装網戸１４を案内するための改装網戸上レール２１ｃとが、見込み方向に互いに間隔を隔てて設けられている。改装内上レール２１ａと、改装外上レール２１ｂと、改装網戸上レール２１ｃとは、改装上枠２１の見付け方向の全域に渡って鉛直方向に垂設されている。また、改装網戸上レール２１ｃは、改装上枠２１の最も室外側に設けられている。改装上枠２１の室内側の端部には、改装額縁６０と対向する改装額縁対向部２１ｄが設けられている。
【００２８】
また、改装上枠２１は、改装内上レール２１ａと改装外上レール２１ｂとの間にて分断されており、室外側の部位と室内側の部位とが断熱材２４を介して接合されて断熱性が確保されている。
【００２９】
改装上枠２１の、断熱材２４より室外側の部位の上面は、見込み方向の中央より室内側がほぼ水平面をなし、中央より室外側は室外側に向かって低くなるように僅かな傾斜が設けられた滑らかな面をなしている。また、断熱材２４より室内側は、室外側の部位より低く窪みが形成されている。このため、改装上枠２１は、水平面をなす部位より上方に突出しないように形成されている。
【００３０】
改装下枠２２は、改装内障子１２ａを案内するための改装内下レール２２ａと、改装外障子１２ｂを案内するための改装外下レール２２ｂと、改装網戸１４を案内するための改装網戸下レール２２ｃとが、見込み方向に互いに間隔を隔てて設けられている。改装下枠２２の室内側の端部は、改装サッシ１０の室内側に設けられた改装額縁６０と対向する平面を有する額縁対向部２２ｄが設けられている。額縁対向部２２ｄの下端は、後述する下枠接合部材３６に設けられた枠固定部材としての下枠接合部材固定金具４１に当接されるとともに、下枠接合部材固定金具４１に設けられた鉛直壁部４１ａに固定具としての皿ビス６５にて固定される。
【００３１】
額縁対向部２２ｄと改装内下レール２２ａとを繋ぐ部位のほぼ中央には、下方に延出されて下枠接合部材固定金具４１に支持される室内側脚部２２ｅと、改装内下レール２２ａの下方に延出されて下枠接合部材３６に支持される中央脚部２２ｆと、改装外下レール２２ｂの下方に延出されて下枠接合部材３６に支持される室外側脚部２２ｇと、を有し、中央脚部２２ｆと室外側脚部２２ｇとが下端側にて連結された連結部２２ｈを有している。また、連結部２２ｈから室外側に、改装網戸下レール２２ｃとほぼ同じ位置まで延出された延出部２２ｉが形成され、延出部２２ｉの先端には、下枠接合部材３６と係合する下枠係合部２２ｋが設けられている。
【００３２】
改装縦枠２３は、見込み方向に沿う平面を有する改装縦枠本体部２３ｂと、改装縦枠本体部２３ｂから開口２の中央側に突出され改装障子１２ａ、１２ｂの改装戸先框１２ｃが係合される改装係合片２３ａと、改装縦枠本体部２３ｂの最も室内側にて改装額縁６０と対向する額縁対向部２３ｃと、改装枠２０の最も室外側に配置され改装縦枠本体部２３ｂから開口２の中央側に突出され改装網戸１４の改装縦框１４ａに挿入される改装挿入片２３ｄと、改装枠２０の最も室外側に配置され改装挿入片２３ｄと見付け方向において反対側に突出された縁部２３ｅと、を有している。ここで、額縁対向部２３ｃは、後述する縦枠接合部材３７に設けられた枠固定部材としての縦枠接合部材固定金具４２に当接される部位である。
【００３３】
上枠接合部材３５は、アルミニウム製の押し出し成形部材である。  
上枠接合部材３５は、既設上枠５１の下方を覆い平坦な下面をなして改装上枠２１が固定される上枠固定板部３５ａと、上枠固定板部３５ａの室外側の端部側にて上方に突出させて設けられ既設上枠５１に室内側から当接される既設上枠当接部３５ｂと、上枠固定板部３５ａの室外側の縁から下方に突出させて設けられ改装上枠２１が室内側から当接される改装上枠当接部３５ｃとを有している。
【００３４】
上枠固定板部３５ａは、ほぼ平坦な板状をなし、取り付けられた際に既設上枠５１の既設上額縁対向部５１ｄより室内側に突出し、突出した部位が既設額縁３０の下面と対向するように形成されている。
【００３５】
既設上枠当接部３５ｂは、上枠固定板部３５ａと一体をなす既設上枠当接片３５ｄと、既設上枠当接片３５ｄの上端側に設けられた水密材３４とを有し、改装上枠当接部３５ｃは、上枠固定板部３５ａと一体をなす改装上枠当接片３５ｅと、改装上枠当接片３５ｅの下端側に設けられた水密材３４と、を有している。また、既設上枠当接片３５ｄの上端側には室内側に窪む既設側凹部３５ｆが、また、改装上枠当接片３５ｅの下端側には室外側に窪む改装側凹部３５ｇが設けられており、水密材３４は既設側凹部３５ｆと改装側凹部３５ｇとにそれぞれ嵌合されている。
【００３６】
上枠接合部材固定金具４０は、既設内上レール５１ａ及び既設外上レール５１ｂの下縁に当接され、既設内上レール５１ａの室内側及び既設外上レール５１ｂの室外側に延び下面が平坦な２つのレール当接部４０ａと、２つのレール当接部４０ａ間を繋ぎ上方に窪む連結部４０ｂと、を備えたアルミニウム製の押出成形部材である。連結部４０ｂは、２つのレール当接部４０ａのうちの室外側のレール当接部４０ａの室内側の縁から室内側に向かって順次上昇する方向に延出された室外側延出部４０ｃと、２つのレール当接部４０ａのうちの室内側のレール当接部４０ａの室外側の縁から室外側に向かって順次上昇する方向に延出された室内側延出部４０ｄと、室外側のレール当接部４０ａの室外側の縁から上方に延出された位置決め片４０ｅと、を有している。
【００３７】
室外側延出部４０ｃは室内側延出部４０ｄの下面側と繋がり、室内側延出部４０ｄは室外側延出部４０ｃが繋がった部位より更に延出されている。また、室外側延出部４０ｃの傾斜角度は室内側延出部４０ｄの傾斜角度より大きく、室外側延出部４０ｃと室内側延出部４０ｄとがなす角度は約９０度である。
【００３８】
室外側のレール当接部４０ａの見込み方向の幅は室外側のレール当接部４０ａより狭く、室外側延出部４０ｃ、室外側のレール当接部４０ａ、位置決め片４０ｅとは、上方に開放された溝状をなしている。そして、既設外上レール５１ｂの下縁が室外側のレール当接部４０ａの上面に当接するように、溝状をなす部位の内側に既設外上レール５１ｂを挿入することにより上枠接合部材固定金具４０が位置決めされる。
【００３９】
下枠接合部材３６、左右の縦枠接合部材３７はいずれも、室外側に配置されるアルミニウム製のアルミ枠部３６ａ、３７ａと、室内側に配置される木製の木枠部３６ｂ、３７ｂとを有し、アルミ枠部３６ａ、３７ａと木枠部３６ｂ、３７ｂとが皿ビス６４にて固定されている。下枠接合部材３６の木枠部３６ｂの室外側に面は、木枠部３６ｂがアルミ枠部３６ａに固定されて、改装サッシが配置された際に、額縁対向部２２ｄとほぼ同一平面を形成するように構成されている。
【００４０】
下枠接合部材３６のアルミ枠部３６ａは、直方体状をなす木枠部３６ｂの室外側の面と対面する外対面部３６ｃと、木枠部３６ｂの下面と対面する下対面部３６ｄとがほぼＬ字状に形成された木枠対面部３６ｅと、下対面部３６ｄが室外側に延出された延出部３６ｆと、延出部３６ｆの室外側の端部に設けられ、改装下枠２２の下枠係合部２２ｋと係合する係合凹部３６ｈと、係合凹部３６ｈから下方に垂設され、既設網戸下レール５２ｃに下枠ブラケット３９を介して固定される室外側固定部３６ｇとを有している。
【００４１】
下枠ブラケット３９は、既設下枠５２の既設外下レール５２ａの室外側に当接されてビス止めされるレール固定部３９ａと、レール固定部３９ａがビス止めされた状態で既設網戸下レール５２ｃの室内側に配置される網戸レール室内壁部３９ｂとが上方で繋がったアルミニウム製の押出成形部材である。室外側固定部３６ｇは、レール固定部３９ａがビス止めされた下枠ブラケット３９の網戸レール室内壁部３９ｂとの間に既設網戸下レール５２ｃを挟み、室外側固定部３６ｇを貫通するビスが網戸レール室内壁部３９ｂに螺合されて固定されている。
【００４２】
また、下枠接合部材３６の室内側は、枠固定部材としての下枠接合部材固定金具４１にて固定されている。
【００４３】
下枠接合部材固定金具４１は、下枠接合部材３６の木枠部３６ｂの室内側の面と額縁対向部２２ｄとに亘って当接される改装枠固定部としての鉛直壁部４１ａと、鉛直壁部４１ａとほぼ直角をなし室外側に延出された接合部材固定部としての水平板部４１ｂと、鉛直壁部４１ａから室内側に延出され躯体固定部としての取付片４１ｃとを有している。
【００４４】
より具体的には、図３に示すように、鉛直壁部４１ａは上側の見付け方向の幅が狭い部位でなる上部分４１ｄと、下側の見付け方向の幅が広い部位でなる下部分４１ｅとを有している。上部分４１ｄの見付け方向における幅は、下部分４１ｅの幅のほぼ半分であり、見付け方向において左端側に偏らせて形成されている。ここで、下部分４１ｅが木枠部３６ｂの室内側の面に当接される部位であり、上部分４１ｄが額縁対向部２２ｄに当接される部位である。また、上部分４１ｄの中央には下枠接合部材固定金具４１を改装下枠２２に接合する固定具としての皿ビス６５が貫通される貫通孔４１ｆが形成されている。
【００４５】
下部分４１ｅの、見付け方向における中央より右端側の上縁からは室外側に水平板部４１ｂが延出されている。水平板部４１ｂの下面は下枠接合部材３６の木枠部３６ｂの上面に当接される部位であり、中央に固定具としての皿ビス６４が貫通される貫通孔４１ｇが形成されている。また、下部分４１ｅの下縁には、室内側に向かって延出され、鉛直壁部４１ａから離れるに従って高さが低くなる傾斜を有する取付片４１ｃが形成されている。取付片４１ｃは、下部分４１ｅの見付け方向の幅と同じ幅を有し、取付片４１ｃの中央には、固定具としての皿ビス６８が貫通される貫通孔４１ｈが設けられている。
【００４６】
下枠接合部材固定金具４１が取り付けられた改装枠２０が既設枠５０の内側に配置されると、取付片４１ｃの上面４１ｉが室内側に臨み、貫通孔４１ｈを貫通した皿ビス６８は、室外側に傾きつつ下方に進入して窓台３ｂに至るように構成されている。すなわち、鉛直壁部４１ａ、水平板部４１ｂ、及び、取付片４１ｃにそれぞれ設けられた貫通孔４１ｆ、４１ｇ、４１ｈを貫通した皿ビス６４、６５、６８が貫通する方向は互いに相違している。すなわち、皿ビス６４、６５、６８による結合力が作用する方向が互いに相違している。
【００４７】
左右の縦枠接合部材３７のアルミ枠部３７ａは、直方体状をなす木枠部３７ｂの室外側の端が挿入される溝部３７ｃと、溝部３７ｃの室外側の壁部３７ｄを共有して溝部３７ｃの室外側に形成され、木枠部３７ｂとは隔離された隔離空間としての中空部３７ｅとを有している。縦枠接合部材３７の中空部３７ｅは、水平断面がほぼ長方形状をなしている。また、縦外面部３７ｆは、開口２の中央側に延出されるとともに、その先端に、改装縦枠２３の縁部２３ｅと係合する係合部３７ｈが形成されている。
【００４８】
左の縦枠接合部材３７の左側面と右の縦枠接合部材３７の右側面とは、室外側に位置するアルミ枠部３７ａの平坦な側面と、室内側に位置する木枠部３７ｂの平坦な側面とで形成されている。すなわち、左の縦枠接合部材３７はアルミ枠部３７ａの左側面より左側に突出する部位はなく、また、右の縦枠接合部材３７はアルミ枠部３７ａの右側面より右側に突出する部位はないように形成されている。
【００４９】
左右の縦枠接合部材３７の室内側は、枠固定部材としての縦枠接合部材固定金具４２にて固定されている。
【００５０】
縦枠接合部材固定金具４２は、縦枠接合部材３７の木枠部３７ｂの室内側の面と額縁対向部２３ｃとに亘って当接される改装枠固定部としての室内側壁部４２ａと、室内側壁部４２ａとほぼ直角をなし室外側に延出された接合部材固定部としての鉛直片４２ｂと、室内側壁部４２ａから室内側に延出され躯体固定部としての縦取付片４２ｃとを有している。縦枠接合部材固定金具４２は、左右の改装縦枠２３にそれぞれ取り付けられるが、左右のいずれに取り付けられるかにより取り付けられた際の姿勢が、１８０度回転した状態となるので、ここでは、右側の改装縦枠２３に取り付けられた状態にて説明する。
【００５１】
右側の改装縦枠２３に取り付けられた縦枠接合部材固定金具４２は、図４に示すように、室内側壁部４２ａは、開口２の内側に位置し上下方向の幅が狭い部位でなる内側部分４２ｄと、開口２の外側に位置し上下方向の幅が広い部位でなる外側部分４２ｅとを有している。内側部分４２ｄの上下方向における幅は、外側部分４２ｅの幅のほぼ半分であり、上下方向において下端側に偏らせて形成されている。ここで、外側部分４２ｅが木枠部３７ｂの室内側の面に当接される部位であり、内側部分４２ｄが額縁対向部２３ｃに当接される部位である。また、内側部分４２ｄの中央には縦枠接合部材固定金具４２を改装縦枠２３に接合する皿ビス６５が貫通される貫通孔４２ｆが形成されている。
【００５２】
外側部分４２ｅの、上下方向における中央より上端側の左側の端部からは室外側に鉛直片４２ｂが延出されている。鉛直片４２ｂにおける開口２の外方側の面は縦枠接合部材３７の木枠部３７ｂに当接される部位であり、中央に皿ビス６４が貫通される貫通孔４２ｇが形成されている。また、外側部分４２ｅの左右方向における右縁から室内側に向かって延出され、室内側壁部４２ａから離れるに従って開口２の外方側に傾斜する縦取付片４２ｃが形成されている。縦取付片４２ｃは、外側部分４２ｅの見付け方向の幅と同じ幅を有し、縦取付片４２ｃの中央には、皿ビス６８が貫通される貫通孔４２ｈが設けられている。
【００５３】
縦枠接合部材固定金具４２が取り付けられた改装枠２０が既設枠５０の内側に配置されると、縦取付片４２ｃの内側面４２ｉが室内側に臨み、貫通孔４２ｈを貫通した皿ビス６８は、室外側に傾きつつ開口２の外方側に進入して柱３ｃに至るように構成されている。すなわち、室内側壁部４２ａ、鉛直片４２ｂ、及び、縦取付片４２ｃにそれぞれ設けられた貫通孔４２ｆ、４２ｇ、４２ｈを貫通した皿ビス６４、６５、６８が貫通する方向は互いに相違している。すなわち、皿ビス６４、６５、６８による結合力が作用する方向が互いに相違している。
【００５４】
縦枠カバー部材４５は、改装枠２０が上枠接合部材３５、下枠接合部材３６、縦枠接合部材３７を介して既設枠５０に取り付けられた際に、既設縦枠５３、縦枠接合部材３７、改装縦枠２３が隣接する境界部分が室外側に露出しないように既設縦枠５３、縦枠接合部材３７、改装縦枠２３の室外側の面に亘って設けられるカバー部材である。縦枠カバー部材４５は、上枠接合部材３５、下枠接合部材３６、縦枠接合部材３７に跨って配置される幅を有する平板状の部材である。縦枠カバー部材４５は、縦枠接合部材３７の室外に臨む面と既設縦枠５３の既設挿入片５３ｄとにビス止めされる。
【００５５】
本実施形態の改装サッシユニット１の取付方法は、図５に示すように、既設上枠５１に上枠接合部材３５を取り付ける既設枠側接合部材取付工程Ｓ１と、下枠接合部材固定金具４１を下枠接合部材３６に、縦枠接合部材固定金具４２を縦枠接合部材３７にそれぞれ取り付ける固定部材取付工程Ｓ２と、下枠接合部材固定金具４１が取り付けられた下枠接合部材３６及び縦枠接合部材固定金具４２が取り付けられた左右の縦枠接合部材３７を、改装枠２０に取り付ける接合部材取付工程Ｓ３と、下枠接合部材３６及び左右の縦枠接合部材３７が取り付けられた改装枠２０を、上枠接合部材固定金具４０及び上枠接合部材３５が取り付けられた既設枠５０に取り付ける改装枠取付工程Ｓ４と、を有している。
【００５６】
より具体的には、まず、改装枠２０を矩形状に枠組みする。このとき、改装枠２０の改装下枠２２、改装縦枠２３の外周側に水密材としてのシール部材２８を設けておく。このシール部材２８は、改装枠２０に下枠接合部材３６及び縦枠接合部材３７が取り付けられた状態で、下枠接合部材３６及び縦枠接合部材３７の木枠部３６ｂ、３７ｂより室外側に位置して、アルミ枠部３６ａ、３７ａと改装枠２０とに圧縮される。
【００５７】
次に、下枠接合部材３６に下枠接合部材固定金具４１を、また、左右の縦枠接合部材３７に縦枠接合部材固定金具４２をそれぞれ取り付ける（固定部材取付工程Ｓ２）。このとき、下枠接合部材３６のアルミ枠部３６ａに固定された木枠部３６ｂの上面に水平板部４１ｂが載置された状態で、上方から水平板部４１ｂの貫通孔４１ｇを貫通する皿ビス６４にて水平板部４１ｂを木枠部３６ｂに固定する。下枠接合部材固定金具４１は、図６に示すように、見付け方向に適宜間隔を隔てて例えば３カ所に取り付ける。また、縦枠接合部材３７のアルミ枠部３７ａに固定された木枠部３７ｂにおける開口２の中央側の面に鉛直片４２ｂを当接させた状態で、開口２の中央側から鉛直片４２ｂの貫通孔４２ｇを貫通する皿ビス６４にて鉛直片４２ｂを木枠部３７ｂに固定する。縦枠接合部材固定金具４２も、図６に示すように上下方向に適宜間隔を隔てて例えば３カ所に取り付ける。
【００５８】
次に、下枠接合部材固定金具４１が取り付けられた下枠接合部材３６を、枠組みされた改装枠２０の改装下枠２２に、また、縦枠接合部材固定金具４２が取り付けられ縦枠接合部材３７を、枠組みされた改装枠２０の左右の改装縦枠２３にそれぞれ取り付ける（接合部材取付工程Ｓ３）。このとき、改装下枠２２の下枠係合部２２ｋに下枠接合部材３６の係合凹部３６ｈを係合させて、改装下枠２２の下側に下枠接合部材３６を配置すると額縁対向部２２ｄが鉛直壁部４１ａの室外側に配置されるので室内側から鉛直壁部４１ａの貫通孔４１ｆを貫通する皿ビス６５にて鉛直壁部４１ａを額縁対向部２２ｄに固定する。また、改装縦枠２３における開口２の外方側に縦枠接合部材３７を配置すると額縁対向部２３ｃが室内側壁部４２ａの室外側に配置されるので室内側から室内側壁部４２ａの貫通孔４２ｆを貫通する皿ビス６５にて室内側壁部４２ａを額縁対向部２３ｃに固定する。
【００５９】
改装枠２０に下枠接合部材３６及び左右の縦枠接合部材３７が取り付けられた状態では、改装上枠２１の水平面をなす上面より上方に突出する部位はなく、また、左の縦枠接合部材３７のアルミ枠部３７ａより左側及び右の縦枠接合部材３７のアルミ枠部３７ａより右側に突出する部位はない。このため、下枠接合部材３６及び左右の縦枠接合部材３７が取り付けられた改装枠２０の見付け方向の最大幅は、左の縦枠接合部材３７が有するアルミ枠部３７ａの左側面と右の縦枠接合部材３７が有するアルミ枠部３７ａの右側面とのなす幅である。このとき、左右のアルミ枠部３７ａがなす幅は、左右の既設縦枠５３間における見付け方向の最も狭い部位の間隔より狭くなっている。
【００６０】
ここで、改装枠２０の枠組みから下枠接合部材固定金具４１及び縦枠接合部材固定金具４２を改装枠２０に取り付ける工程は施工現場で行っても良いが、予め工場にて行うとより精度良く枠組みすることが可能である。
【００６１】
一方、既設上枠５１には上枠接合部材固定金具４０を取り付け、さらに上枠接合部材３５を取り付けておく（既設枠側接合部材取付工程Ｓ１）。このとき、既設上枠当接部３５ｂは、上枠固定板部３５ａと一体をなす既設上枠当接片３５ｄの上端側に設けられた既設側凹部３５ｆと、上枠固定板部３５ａと一体をなす改装上枠当接片３５ｅの下端側に設けられた改装側凹部３５ｇとに予め水密材３４を嵌合しておく。
【００６２】
そして、上枠接合部材固定金具４０は、既設上枠５１の下方から、位置決め片４０ｅと室外側延出部４０ｃとの間に既設外上レール５１ｂを挿入し、室外側のレール当接部４０ａの上面に既設外上レール５１ｂの下縁を当接させて配置する。この状態で、室内側延出部４０ｄの先端が既設外上レール５１ｂの室内側の面に当接され、室外側延出部４０ｃが室内側に臨むように配置される。そして、室内側に臨む室外側延出部４０ｃに皿ビス６５を貫通させるとともに既設外上レール５１ｂに螺合する。既設外上レール５１ｂにビス止めされた上枠接合部材固定金具４０は、既設内上レール５１ａと既設外上レール５１ｂとに押し当てられて安定した状態で既設上枠５１に取り付けられる。
【００６３】
次に、既設上枠５１に取り付けられた上枠接合部材固定金具４０の下方から上枠接合部材３５を配置して皿ビス６５、６７にて固定する。このとき、既設上枠当接部３５ｂを既設上枠５１が有する既設網戸レール５１ｃの室内側の面に押圧し既設上枠当接片３５ｄの上端側に設けられた水密材３４を圧縮させる。そして、水密材３４が圧縮された状態にて、上枠固定板部３５ａの下方から既設内上レール５１ａと既設外上レール５１ｂとの間に、上枠固定板部３５ａを貫通する皿ビス６５を進入させて上枠接合部材固定金具４０の室内側延出部４０ｄに螺合し、上枠固定板部３５ａの、既設上額縁対向部５１ｄより室内側に突出して既設額縁３０と対向する部位を窓まぐさ３ａまで至る皿ビス６７にて固定する。
【００６４】
また、既設下枠５２の既設外下レール５２ａには、図６に示すように、見付け方向に適宜間隔を隔てて例えば３カ所に下枠ブラケット３９を取り付けておく。
【００６５】
次に、下枠接合部材３６及び縦枠接合部材３７が取り付けられた改装枠２０を、上枠接合部材３５及び下枠ブラケット３９が取り付けられた既設枠５０の内側に室内側から配置する。具体的には、下枠接合部材３６及び縦枠接合部材３７が取り付けられた改装枠２０の下部が室外側に、上部が室内側に位置するように改装枠２０を傾斜させた状態で、上枠接合部材３５及び下枠ブラケット３９が取り付けられた既設上枠５１と既設下枠５２との間に移動させる。そして、改装枠２０に取り付けられた下枠接合部材３６を既設下枠５２に取り付けられた下枠ブラケット３９の上方近傍に位置させて、改装枠２０の上部を室内側から室外側に移動させ、改装枠２０を既設枠５０の内側に配置する。このとき、下枠接合部材３６は既設内下レール５２ａに載置され、改装上枠２１の上面と上枠接合部材３５の下面とが対向する。
【００６６】
そして、改装上枠２１の改装網戸レール２１ｃの室外側の面を改装上枠当接部３５ｃに押圧し改装上枠当接片３５ｅの下端側に設けられた水密材３４を圧縮させた状態で、下枠接合部材固定金具４１の取付片４１ｃと縦枠接合部材固定金具４２の縦取付片４２ｃとを、貫通孔４１ｈ、４２ｈを貫通し窓台３ｂ及び柱３ｃまで至る皿ビス６８にて固定する（改装枠取付工程Ｓ４）。すなわち、改装下枠２２は、下枠接合部材３６、下枠接合部材固定金具４１、及び、下枠ブラケット３９を介して既設枠５０に取り付けられる。このとき、下枠接合部材３６及び縦枠接合部材３７が取り付けられた改装枠２０と既設額縁３０との間に空隙が生じる場合には適宜飼木７０を備えた後にビス止めする。
【００６７】
その後、改装上枠２１の改装額縁対向部２１ｄと改装内上レール２１ａとの間にて窓まぐさ３ａまで至る皿ビス６９で固定し、改装網戸上レール２１ｃと改装外上レール２１ｂとの間にて上枠固定板部３５ａに至るビス６６で改装上枠２１を固定する（改装枠取付工程Ｓ４）。すなわち、改装上枠２１は、上枠接合部材３５及び上枠接合部材固定金具４０を介して既設枠５０に取り付けられる。このとき、上枠接合部材３５が取り付けられた既設上枠５１及び既設額縁３０と改装枠２０との間に空隙が生じる場合には適宜飼木７０を備えた後にビス止めする。
【００６８】
下枠接合部材３６及び縦枠接合部材３７が取り付けられた改装枠２０が既設枠５０の内側に配置された状態で、下枠ブラケット３９の網戸レール室内壁部３９ｂとの間に既設網戸下レール５２ｃを挟むように配置されている下枠接合部材３６の室外側固定部３６ｇを、開口２を利用して室内側からの作業により網戸レール室内壁部３９ｂにビス止めする。
【００６９】
次に、縦枠カバー部材４５を室外側から縦枠接合部材３７及び改装縦枠２３に当接させて縦枠接合部材３７と既設縦枠５３の既設挿入片５３ｄにビス止めし、キャップ部材４６を取り付ける。ここで、縦枠カバー部材４５及びキャップ部材４６は室外側から縦枠接合部材３７及び改装縦枠２３に当接させるが、作業者は、改装障子１２ａ、１２ｂの取り付けられていない改装枠２０の内側の開口を利用して室内側から施工する。
【００７０】
最後に、既設額縁３０の内側に下地材６２を備え、下地材６２の内側に改装額縁６０を配置して固定する。
【００７１】
第１実施形態の改装サッシユニット１によれば、下枠接合部材固定金具４１は、既設枠５０が有する既設下枠５２と改装枠２０の改装下枠２２との間に介在される下枠接合部材３６と改装下枠２２とを接合するとともに、下枠接合部材３６が取り付けられた改装枠２０が既設枠５０の内側に配置されたときに室内側に臨む、取付片４１ｃ上面４１ｉを有する取付片４１ｃを備えている。また、取付片４１ｃの上面４１ｉには躯体３ｂに螺合される皿ビス６８が貫通される貫通孔４１ｈが形成されているので、下枠接合部材３６と改装下枠２２とを接合している下枠接合部材固定金具４１の貫通孔４１ｈに皿ビス６８を貫通させて、改装枠２０を躯体３ｂに強固に固定することが可能である。このとき、取付片４１ｃの上面４１ｉは室内側に臨んでいるので、下枠接合部材３６と改装下枠２２とを室内側から躯体３ｂに容易に固定することが可能である。
【００７２】
また、縦枠接合部材固定金具４２は、既設枠５０が有する既設縦枠５３と改装枠２０の改装縦枠２３との間に介在される縦枠接合部材３７と改装縦枠２３とを接合するとともに、縦枠接合部材３７が取り付けられた改装枠２０が既設枠５０の内側に配置されたときに、室内側に臨む内側面４２ｉを有する縦取付片４２ｃを備えている。また、縦取付片４２ｃの内側面４２ｉには、躯体３ｃに螺合される皿ビス６８が貫通される貫通孔４２ｈが形成されているので、縦枠接合部材３７と改装縦枠２３とを接合している縦枠接合部材固定金具４２の貫通孔４２ｈに皿ビス６８を貫通させて、改装枠２０を躯体３ｃに強固に固定することが可能である。このとき、縦取付片４２ｃの内側面４２ｉは室内側に臨んでいるので、縦枠接合部材３７と改装縦枠２３とを室内側から躯体３ｃに容易に固定することが可能である。
【００７３】
このため、室内側からの作業により容易に、より強固に取り付けることが可能な改装サッシユニット１を提供することが可能である。
【００７４】
また、下枠接合部材固定金具４１は、鉛直壁部４１ａと水平板部４１ｂと取付片４１ｃとは、皿ビス６４、６５、６８が貫通される方向が互いに相違し、皿ビス６４、６５、６８による結合力が作用する方向が互いに相違するので、所定の一方向の力が作用しただけでは外れにくい。また、縦枠接合部材固定金具４２は、室内側壁部４２ａと鉛直片４２ｂと縦取付片４２ｃとは、皿ビス６４、６５、６８が貫通される方向が互いに相違し、皿ビス６４、６５、６８による結合力が作用する方向が互いに相違するので、所定の一方向の力が作用しただけでは、改装枠固定部材は外れにくい。このため、改装サッシユニット１をより強固に取り付けることが可能である。本実施形態においては、枠固定部材の、改装枠固定部と接合部材固定部と躯体固定部とを固定する固定具として皿ビス６４、６５、６８を例に挙げて説明したが、皿ビス及びビスに限らず、固定具はボルト、釘、リベット、アンカー、接着剤などであっても構わない。このとき、結合力が作用する方向は、ボルト、釘等は、軸方向であり、接着剤等は、互いに固定される部位同士が対面する方向となる。
【００７５】
また、第１実施形態の改装サッシユニット１の取付方法によれば、下枠接合部材固定金具４１は、既設枠５０が有する既設下枠５２と改装サッシ１０が有する改装枠２０の改装下枠２２との間に介在される下枠接合部材３６と改装下枠２２とを接合し、下枠接合部材３６が取り付けられた改装枠２０が既設枠５０の内側に配置されたときに、取付片４１ｃの室内側に臨む上面４１ｉを有し、取付片４１ｃの上面４１ｉに設けられた貫通孔４１ｈに皿ビス６８を貫通させて躯体３ｂに螺合することにより、下枠接合部材３６と改装下枠２２とを室内側から躯体３ｂに固定することが可能である。
【００７６】
また、縦枠接合部材固定金具４２は、既設枠５０が有する既設縦枠５３と改装サッシ１０が有する改装枠２０の改装縦枠２３との間に介在される縦枠接合部材３７と改装縦枠２３とを接合し、縦枠接合部材３７が取り付けられた改装縦枠２３が既設枠５０の内側に配置されたときに、縦取付片４２ｃの室内側に臨む内側面４２ｉに設けられた貫通孔４２ｈに皿ビス６８を貫通させて室内側から躯体３ｃに螺合させることが可能である。このため、室内側からの作業により容易に、より強固に取り付けることが可能である。
【００７７】
第１実施形態においては、半外付けタイプの既設枠５０の内周側に設ける改装サッシユニット１について説明したが、内付けタイプの既設枠５０の内周側に設ける場合には、既設上枠と上枠接合部材の上方に躯体が見付け方向のほぼ全域に存在するので、上枠接合部材をレールに固定する必要がなく、直接躯体に取り付けることが可能である。このため、内付けタイプの既設枠５０に取り付ける場合には、上枠接合部材固定金具４０を用いることなく、既設枠のレール間にて既設枠を貫通するビスにて上枠接合部材を躯体にビス止めする。
【００７８】
第１実施形態にて説明した下枠接合部材３６、及び、上枠接合部材固定金具４０は、見付け方向における全領域に設けられていても良いが、見付け方向の幅が短い下枠接合部材３６、及び、上枠接合部材固定金具４０を複数設けても良い。
【００７９】
第２実施形態に係る改装サッシユニット５は、第１実施形態の改装サッシユニット１と、枠固定部材としての下枠接合部材固定金具４１が相違する。このため、ここでは、第１実施形態の下枠接合部材固定金具４１に代わる下枠接合部材固定金具７５について説明し、第１実施形態と同じ構成については同符号を付して説明を省略する。
【００８０】
第２実施形態の下枠接合部材固定金具７５は、平板状の板金の一部が曲げ起こされて形成された改装枠固着部としての取付片７５ａと、取付片７５ａより室外側に延出されて平板状をなす室外側平板部７５ｂと、曲げ起こされた取付片７５ａを挟むように室内側に延出されて平板状をなす室内側平板部７５ｃとを有している。下枠接合部材固定金具７５は、取付片７５ａが改装下枠２２の額縁対向部２２ｄに当接されて取り付けられると、室外側平板部７５ｂ先端が改装下枠２２の中央脚部２２ｆより室外側に至るように形成されている。そして、下枠接合部材固定金具７５の取付片７５ａには、取付片７５ａを額縁対向部２２ｄに固定するための貫通孔７５ｉが１つ設けられており、室外側平板部７５ｂには、室外側平板部７５ｂを下枠接合部材３６に固定するための貫通孔７５ｇが１つ設けられており、取付片の７５ａの両側に設けられた室内側平板部７５ｃには、室内側平板部７５ｃを各々躯体３に固定するための貫通孔７５ｈが１つずつ設けられている。
【００８１】
そして、下枠接合部材固定金具７５の取り付けは、第１実施形態の下枠接合部材固定金具４１とは異なり、下枠接合部材３６とともに矩形状に枠組みされた改装枠２０に下枠接合部材固定金具７５が取り付けられる（接合部材取付工程Ｓ３）。
【００８２】
具体的には、改装枠２０の下側を上方に向けた状態にて、改装下枠２２の下枠係合部２２ｋに下枠接合部材３６の係合凹部３６ｈを係合させて、上下が逆になった改装下枠２２の上に下枠接合部材３６を載置し、その上に下枠接合部材固定金具７５を載置する。このとき、下枠接合部材固定金具７５の取付片７５ａを額縁対向部２２ｄに貫通孔７５ｉを貫通する皿ビス６５にて固定する。そして、室外側平板部７５ｂの貫通孔７５ｇを貫通する皿ビス６５にて、室外側平板部７５ｂを下枠接合部材３６とともに改装下枠２２に固定する。
【００８３】
その後、下枠接合部材３６、下枠接合部材固定金具７５及び縦枠接合部材３７が取り付けられた改装枠２０を、上枠接合部材３５及び下枠ブラケット３９が取り付けられた既設枠５０の内側に室内側から配置し、下枠接合部材固定金具７５の室内側平板部７５ｃを、貫通孔７５ｈを貫通し躯体３である窓台３ｂまで至る皿ビス６８にて固定する（改装枠取付工程Ｓ４）。このとき、既設下枠５２が躯体３に固定されている固定フィン５２ｆの上方にて室外側平板部７５ｂの、既設枠５０が当接される部位が既設枠被支持部７５ｄであり、既設枠被支持部７５ｄより室外側の部位が改装枠支持部７５ｅであり、既設枠被支持部７５ｄより室内側の部位が躯体固着部７５ｆである。
【００８４】
第２実施形態の例では、室外側平板部７５ｂの貫通孔７５ｇにてビス止めされている部位近傍が固定フィン５２ｆの上方にて既設枠５０に当接されているので既設枠被支持部７５ｄに相当し、貫通孔７５ｇにてビス止めされている部位近傍より室外側に延出されている部位が改装枠支持部７５ｅに相当し、貫通孔にてビス止めされている部位近傍より室内側に延出されている部位が躯体固着部７５ｆに相当する。
【００８５】
第２実施形態の改装サッシユニット５によれば、下枠接合部材固定金具７５は、躯体３に固定されている既設枠５０に支持された既設枠被支持部７５ｄより室内側にて躯体３に載置されるとともに固着されているので、下枠接合部材固定金具７５が強固に躯体３に固定される。そして、強固に固定された下枠接合部材固定金具７５の既設枠被支持部７５ｄより室外側にて改装枠２０が支持されるとともに取付片７５ａにて改装枠２０を固定するので、改装枠２０をより確実に支持して躯体３に固定することが可能である。また、改装枠２０は既設枠被支持部７５ｄより室外側に延出された改装枠支持部７５ｅにて支持されるので、改装枠２０が既設枠５０より室外側に突出する場合であっても、改装枠２０をより確実に支持することが可能である。
【００８６】
また、既設枠被支持部７５ｄより室外側に延出された改装枠支持部７５ｅが、下枠接合部材３６に固定されて、既設枠被支持部７５ｄは下枠接合部材３６と繋がることにより既設枠被支持部７５ｄ及び下枠接合部材３６の剛性及び強度が高められる。そして、剛性強度が高められた既設枠被支持部７５ｄにて改装枠２０を支持するので、改装枠２０をより確実に支持することが可能である。
【００８７】
上記第１実施形態では、下側の固定部材として下枠接合部材固定金具４１のみを用い、また、第２実施形態では、下側の固定部材として下枠接合部材固定金具７５のみを用いた例について説明したが、下側の固定部材として下枠接合部材固定金具４１と下枠接合部材固定金具７５とを併用しても良い。
【００８８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００８９】
１  改装サッシユニット、２  開口、３  躯体、３ａ  窓まぐさ、３ｂ  窓台、
３ｃ  柱、５  改装サッシユニット、１０  改装サッシ、２０  改装枠、
２２  改装下枠、２３  改装縦枠、３６  下枠接合部材、３７  縦枠接合部材、
４１  下枠接合部材固定金具、４１ａ  鉛直壁部、４１ｂ  水平板部、
４１ｃ  取付片、４１ｄ  上部分、４１ｅ  下部分、４１ｆ  貫通孔、
４１ｇ  貫通孔、４１ｈ  貫通孔、４１ｉ  取付片の上面、
４２  縦枠接合部材固定金具、４２ａ  室内側壁部、４２ｂ  鉛直片、
４２ｃ  縦取付片、４２ｄ  内側部分、４２ｅ  外側部分、
４２ｆ  貫通孔、４２ｇ  貫通孔、４２ｈ  貫通孔、４２ｉ  内側面、５０  既設枠、
５２  既設下枠、５２ｆ  固定フィン、５３  既設縦枠、６４  皿ビス、
６５  皿ビス、６８  皿ビス、７５  下枠接合部固定金具、７５ａ  取付片、
７５ｂ室外側平板部、７５ｃ  室内側平板部、７５ｄ  既設枠被支持部、
７５ｅ  改装枠支持部、７５ｆ  躯体固着部、７５ｇ  貫通孔、７５ｈ  貫通孔、
７５ｉ  貫通孔
【図１】
0005433544.tif 000002
【図２】
0005433544.tif 000003
【図３】
0005433544.tif 000004
【図４】
0005433544.tif 000005
【図５】
0005433544.tif 000006
【図６】
0005433544.tif 000007
【図７】
0005433544.tif 000008
【図８】
0005433544.tif 000009